【事件の表示】
　特願２０１５−１３３９３３「写真シール作成装置」拒絶査定不服審判事件〔平成２７年１２月　３日出願公開，特開２０１５−２１５６２５〕について，次のとおり審決する。
【結　論】
　本件審判の請求は，成り立たない。
【理　由】
第１　手続の経緯
　本件査定不服審判事件に係る出願（以下，「本件出願」という。）は，平成２４年４月２４日（優先権主張平成２４年２月９日）に出願した特願２０１２−９８７１６号の一部を平成２６年６月１８日に新たな特許出願とした特願２０１４−１２５７８０号の一部を平成２７年７月２日に新たな特許出願としたものであって，平成２７年８月２０日付けで拒絶理由が通知され，同年１０月２３日に意見書及び手続補正書が提出され，同年１２月２２日付けで拒絶理由が通知され，平成２８年３月７日に意見書及び手続補正書が提出されたが，同年５月３１日付けで平成２８年３月７日提出の手続補正書による補正が却下されるとともに同日付けで拒絶査定（以下，「原査定」という。）がなされた。
　本件査定不服審判事件は，これを不服として，同年９月１日に請求されたものであって，本件審判の請求と同時に手続補正書が提出され，当審において，平成２９年１０月１１日付けで拒絶理由が通知され，同年１２月１１日に意見書及び手続補正書が提出され，平成３０年２月６日付けで拒絶理由が通知され（特許法１５９条２項において読み替えて準用する同法５０条の規定に基づいて通知されたものであり，同法１７条の２第１項３号における「最後に受けた拒絶理由通知」に該当する。以下，当該拒絶理由の通知を「当審拒絶理由通知」といい，通知された拒絶理由を「当審拒絶理由」という。），同年４月５日に意見書及び手続補正書が提出された。
第２　補正却下の決定
〔補正却下の決定の結論〕
　平成３０年４月５日提出の手続補正書による補正を却下する。
　
〔理由〕
　１　平成３０年４月５日提出の補正書による補正の内容
（１）補正前後の記載
　平成３０年４月５日提出の手続補正書による補正（以下，「本件補正」という。）は，明細書及び特許請求の範囲について補正しようとするものであるところ，本件補正前後の請求項１の記載は次のとおりである。（下線は補正箇所を示す。）
　ア　本件補正前の請求項１
「利用者を被写体として撮影し，得られた撮影画像に対して利用者に編集入力を行わせ，前記撮影画像を所定のシール紙に印刷する写真シール作成装置であって，
　ズームリングを回転させることで，カメラ本体の焦点距離を調整する回転部を有するカメラ部と，
　前記カメラ部が設けられる筐体と，
　前記カメラ部において，前記カメラ本体の焦点距離がズームインするように調整された場合と，前記カメラ本体の焦点距離がズームアウトするように調整された場合とで，同一の縦横比のトリミング枠でトリミングされた前記撮影画像を，前記カメラ部に取り込まれた画像から取得する取得手段と，
　前記撮影画像を表示する表示手段と
　を備え，
　前記取得手段は，前記カメラ本体の焦点距離がズームインするように調整された場合には，前記トリミング枠でトリミングされた前記撮影画像として，前記利用者の顔および上半身が写るアップ画像であって，前記縦横比で表示される前記アップ画像を取得し，前記カメラ本体の焦点距離がズームアウトするように調整された場合には，前記トリミング枠でトリミングされた前記撮影画像として，前記利用者の全身が写る全身画像であって，前記アップ画像と同一の前記縦横比，かつ，同一のサイズで表示される前記全身画像を取得し，
　前記表示手段は，取得された前記アップ画像および前記全身画像を全て，同一の縦横比，かつ，同一のサイズで，１つの画面に並べて表示する
　写真シール作成装置。」
　
　イ　本件補正後の請求項１
「利用者を被写体として撮影し，得られた撮影画像に対して利用者に編集入力を行わせ，前記撮影画像を所定のシール紙に印刷する写真シール作成装置であって，
　ズームリングを回転させることで，カメラ本体の焦点距離を調整する回転部を有するカメラ部と，
　前記カメラ部が設けられる筐体と，
　前記カメラ部において，前記カメラ本体の焦点距離がズームインするように調整された場合と，前記カメラ本体の焦点距離がズームアウトするように調整された場合とで，同一の縦横比のトリミング枠でトリミングされた前記撮影画像を，前記カメラ部に取り込まれた画像から取得する取得手段と，
　前記撮影画像を表示する表示手段と
　を備え，
　前記取得手段は，前記カメラ本体の焦点距離がズームインするように調整された場合には，前記トリミング枠でトリミングされた前記撮影画像として，前記利用者の顔および上半身が写るアップ画像であって，前記縦横比で表示される前記アップ画像を取得し，前記カメラ本体の焦点距離がズームアウトするように調整された場合には，前記トリミング枠でトリミングされた前記撮影画像として，前記利用者の全身が写る全身画像であって，前記アップ画像と同一の前記縦横比，かつ，同一のサイズで表示される前記全身画像を取得し，
　前記表示手段は，
撮影タイミングより前に，前記カメラ部に取り込まれた前記画像であるライブビュー画像とともに，既に
　写真シール作成装置。」
　
（２）本件補正のうち請求項１に係る補正の内容
　本件補正のうち請求項１に係る補正は，本件補正前の「取得された前記アップ画像および前記全身画像を全て，同一の縦横比，かつ，同一のサイズで，１つの画面に並べて表示する」という記載の前に，「撮影タイミングより前に，前記カメラ部に取り込まれた前記画像であるライブビュー画像とともに，既に」という記載を挿入するものである。
　２　補正の目的について
　本件補正は，本件補正前の請求項１に係る発明の発明特定事項である「表示手段」が「取得された前記アップ画像および前記全身画像を全て，同一の縦横比，かつ，同一のサイズで，１つの画面に並べて表示する」タイミングについて，「撮影タイミングより前」であることを限定すると共に，当該「アップ画像」及び「全身画像」が，「カメラ部に取り込まれた前記画像であるライブビュー画像」とともに表示されることを限定しようとする補正であって，当該補正の前後で請求項１に係る発明の産業上の利用分野及び解決しようとする課題は同一であると認められるから，特許法１７条の２第５項２号に掲げる特許請求の範囲の減縮を目的とするものに該当する。
　３　新規事項の追加の有無について
（１）　本件補正後の請求項１の「トリミングされた前記撮影画像を，前記カメラ部に取り込まれた画像から取得する」という記載によれば，「カメラ部に取り込まれた画像」をトリミングしたものが「撮影画像」であって，「カメラ部に取り込まれた画像」とはトリミング前の画像のことと解されるから，本件補正による限定事項に係る「前記カメラ部に取り込まれた
前記
（２）　そこで，当該事項について，本件出願の願書に最初に添付した明細書，特許請求の範囲及び図面（以下，願書に最初に添付した明細書を「当初明細書」といい，願書に最初に添付した明細書，特許請求の範囲及び図面を総称して「当初明細書等」という。）をみると，次の記載がある。
「【０１４１】
　ステップＳ３３において，ライブビュー表示制御部３１３は，
カメラ９１により取り込まれた動画像（ライブビュー画像）をタッチパネルモニタ９３に表示させる（ライブビュー表示を行う）
【０１４２】
　図２１は，下カメラアップ撮影時にタッチパネルモニタ９３に表示されるライブビュー画像について説明する図である。
【０１４３】
　
図２１Ａは，カメラ９１により取り込まれたライブビュー原画像４０１を示している。このライブビュー原画像４０１は，図２１Ｂに示されるように，縦横比が１．２：１のトリミング枠４０１ＴＲによってトリミングされる。すなわち，ライブビュー原画像４０１においてトリミング枠４０１ＴＲで囲まれる範囲が抽出され反転されることで，図２１Ｃに示されるように，ライブビュー画像がタッチパネルモニタ９３に表示される。
【０１４４】
　図２１Ｃは，タッチパネルモニタ９３に表示されるライブビュー表示画面の例を示しており，カメラ９１のライブビュー画像を表示するライブビュー表示領域４１１，および，撮影の結果得られる撮影画像が表示される撮影結果表示領域４１２−１乃至４１２−６から構成されている。このようにして，タッチパネルモニタ９３のライブビュー表示領域４１１には，縦横比が１．２：１のライブビュー画像が表示される。なお，
ライブビュー画像においては，クロマキー処理により背景領域に所定の背景画像が合成されるようになる。
「【０１６１】
　ステップＳ４６において，ライブビュー表示制御部３１３は
，カメラ９１により取り込まれた動画像（ライブビュー画像）をタッチパネルモニタ９３に表示させる（ライブビュー表示を行う）
【０１６２】
　図２２は，上カメラ全身撮影時にタッチパネルモニタ９３に表示されるライブビュー画像について説明する図である。
【０１６３】
　
図２２Ａは，カメラ９１により取り込まれたライブビュー原画像４３１を示している。
このライブビュー原画像４３１は，図２２Ｂに示されるように，縦横比が１．２：１のトリミング枠４３１ＴＲによってトリミングされる。すなわち，ライブビュー原画像４３１においてトリミング枠４３１ＴＲで囲まれる範囲が抽出され反転されることで，図２２Ｃに示されるように，ライブビュー画像がタッチパネルモニタ９３に表示される。
ライブビュー画像においては，クロマキー処理により背景領域に所定の背景画像が合成されるようになる。
「【図２１】
【図２２】
」
（３）　前記（２）で摘記した当初明細書の記載には，カメラにより取り込まれた画像（ライブビュー原画像４０１，４３１）に対して，トリミングと背景画像の合成とを行うことによって得られた画像（動画像，ライブビュー画像）を，ライブビュー画像として表示することが記載されているが，トリミング前の画像をライブビュー画像として表示することは記載されていない。
　また，当初明細書等のその他の箇所にも，トリミング前の画像（ライブビュー原画像４０１，４３１）をライブビュー画像として表示することは，記載も示唆もない。
　さらに，技術上の意義について検討してみても，ライブビュー画像は，これから撮影される画像を，被写体であるユーザに確認させる目的で，表示していることが明らかであるところ，そのような観点からは，実際にシール紙に印刷される画像であるトリミング及び背景画像の合成後の「画像（動画像，ライブビュー画像）」を表示するのが当然であって，「画像（動画像，ライブビュー画像）」に代えて，印刷されない領域をも含んだトリミング前の「カメラにより取り込まれた画像（ライブビュー原画像４０１，４３１）」をライブビュー画像として表示することは，ライブビュー画像の技術上の意義からはおよそ考え難い。
（４）　以上によれば，トリミング前の画像をライブビュー画像として表示する旨の発明特定事項を請求項１に係る発明に付加する本件補正は，当初明細書等の全ての記載を総合することにより導かれる事項との関係において，新たな技術的事項を導入するものといわざるを得ないから，当初明細書等に記載した事項の範囲内においてするものとはいえない。
　したがって，本件補正は，特許法１７条の２第３項の規定に違反する。
４　独立特許要件について
　前記３（１）で述べたとおり，本件補正後の請求項１に記載された「前記カメラ部に取り込まれた前記画像であるライブビュー画像」を「表示する」とは，トリミング前の画像をライブビュー画像として表示することを特定していると解するのが相当であるが，当該記載についての請求人の真意が，「カメラ部に取り込まれた画像」（トリミング前の画像）そのものを「ライブビュー画像」とすることを特定しているのではなく，当該「カメラ部に取り込まれた画像」に対してトリミングや背景画像の合成等の何らかの処理を施すことで得られる画像を「ライブビュー画像」とすることも許容する表現のつもりであった可能性もあることから，念のため，そのような解釈（以下，「拡大解釈」という。）の下での補正要件についても以下で判断しておく。
　前記２で述べたとおり，本件補正のうち請求項１に係る補正は，特許法１７条の２第５項２号に掲げる特許請求の範囲の減縮を目的とする補正であるから，本件補正後の請求項１に係る発明（以下，「本件補正発明」という。）が，特許法１７条の２第６項において準用する同法１２６条７項の規定に適合するのか否か（特許出願の際独立して特許を受けることができるものであるのか否か）について検討する。
（１）本件補正後の請求項１に係る発明
　本件補正後の請求項１に係る発明（以下，「本件補正発明」という。）は，前記１（１）イに本件補正後の請求項１として示したとおりのものである。
　なお，「前記カメラ部に取り込まれた前記画像であるライブビュー画像」の解釈については，前述した「拡大解釈」，すなわち，「カメラ部に取り込まれた画像」に対してトリミングや背景画像の合成等の何らかの処理を施すことで得られる画像をライブビュー画像とすることを包含しているとの解釈を採用する。
（２）引用例
　ア　特開２００９−１６９２０６号公報の記載
　当審拒絶理由において「引用例１」として引用された特開２００９−１６９２０６号公報（以下，当審拒絶理由と同様に「引用例１」という。）は，本件出願の優先権主張の日（以下，「本願優先日」という。）より前に頒布された刊行物であるところ，当該引用例１には次の記載がある。（下線は，後述する引用発明の認定に特に関係する箇所を示す。）
（ア）　「【技術分野】
【０００１】
　本発明は，写真シール機に関し，特に，カメラの高さに応じた光を照射して撮影を行うことができるようにした写真シール機に関する。
【背景技術】
【０００２】
　娯楽（遊戯）施設等に設置される従来の写真シール機により提供される１回のゲームは，利用者である被写体の撮影，撮影画像に対する編集（落書き），編集が施された画像もしくは撮影画像のシール紙への印刷，という流れで終了する。
【０００３】
　近年，写真シール機の利用者は撮影に重点をおき，お気に入りの撮影画像を得るために，様々なポーズをとったり，多種多様な背景画像や前景画像を自分自身が写っている画像に合成したりしながら撮影を行っている。
【０００４】
　利用者のそのような行動に対応して，カメラを上下に移動させて様々なカメラアングルで撮影を行うことができる写真シール機が開発されている（例えば，特許文献１）。この機能により，利用者は，カメラアングルを変えて様々なポーズの撮影画像を得ることができる。
・・・（中略）・・・
【発明が解決しようとする課題】
【０００７】
　しかしながら，上述したような写真シール機においては，様々なカメラアングルで撮影を行うことはできるものの，撮影時に発光するストロボがカメラアングルに応じて変わることはないので，全ての撮影画像を，適切な光を照射して撮影することができるとは限らない。
【０００８】
　このことから，カメラアングルにあわせて考えたポーズをとって撮影を行ったにもかかわらず，撮影結果として得られた撮影画像に利用者が満足できないことがあった。
【０００９】
　本発明はこのような状況に鑑みてなされたものであり，カメラの高さに応じた光を照射して撮影を行うことができるようにするものである。
【課題を解決するための手段】
【００１０】
　本発明の一側面の写真シール機は，利用者を被写体として撮影し，撮影して得られた画像に対して利用者に編集を行わせ，撮影して得られた前記画像または編集済みの画像をシール紙に印刷して利用者に提供する写真シール機において，撮影を行う利用者と対向する，前記写真シール機の筐体の面の一部を構成するパネルと，上から，第１のストロボ，カメラの順に取り付けられ，前記第１のストロボと前記カメラを一体的に上下方向に移動させるユニットであって，筐体内側に設けられ，前記パネルに形成される略長方形の開口部から構成の一部が外部に露出するユニットと，前記パネルに形成される開口部の上辺より高い位置に固定して取り付けられ，前記カメラによる撮影と同時に発光する第２のストロボとを備え，前記ユニットが上方向に移動したとき，前記ユニットに取り付けられる前記第１のストロボは前記パネルの内側に隠れ，前記カメラは，上方向に移動する前より斜め下に光軸を向けて，前記パネルに形成される開口部から外部に露出することを特徴とする。
・・・（中略）・・・
【発明の効果】
【００１６】
　本発明の一側面によれば，カメラの高さに応じた光を照射して撮影を行うことができる。」
（イ）　「【発明を実施するための最良の形態】
【００１７】
　図１は，本発明の一実施形態に係る写真シール機１の外観の例を示す図である。
【００１８】
　
写真シール機１は，代金を支払った利用者に撮影や編集等の作業をゲームとして行わせ，撮影・編集した画像を，シール紙に印刷して利用者に提供するゲーム機である
・・・（中略）・・・
【００２１】
　図１に示されるように，写真シール機１は，基本的に，
撮影ユニット１１と編集ユニット１３が並べて設置されることによって構成され
【００２２】
　
撮影ユニット１１は，
内部に形成される撮影空間において利用者に撮影を行わせる
撮影ユニット１１は，前方ユニット１１Ａと後方ユニット１１Ｂ
【００２３】
　
前方ユニット１１Ａは，撮影空間にいる利用者が撮影を行うときにその前方にくる側のユニットである
【００２４】
　
後方ユニット１１Ｂは，撮影空間にいる利用者が撮影を行うときにその後方にくる側のユニットである
【００２５】
　編集ユニット１３は，撮影画像に対する編集機能を有しており，編集ユニット１３の前方に形成される，第１の編集空間である編集空間Ａにおいて利用者に編集を行わせる。編集ユニット１３の編集空間Ａ側の斜面にはタブレット内蔵モニタやタッチペンからなる編集部Ａが設けられる。編集空間Ａにいる利用者は，編集部Ａに用意されるタブレット内蔵モニタに表示される撮影画像に対して，タッチペンを用いて編集を行う。
・・・（中略）・・・
【００３６】
　次に，各ユニットの構成について説明する。
【００３７】
　図４は，前方ユニット１１Ａの撮影空間側の面の構成例を示す図である。撮影空間にいる利用者は，基本的に，図４に示される面に向かって撮影作業を行う。
【００３８】
　図４に示されるように，前方ユニット１１Ａの撮影空間側の面の中央上方には，
前方ユニット１１Ａの筐体の面の一部を構成する部材である正面パネル３１
前方ユニット１１Ａの筐体内部
にはカメラ周りユニット３２が設けられ
そのカメラ周りユニット３２の構成の一部が，正面パネル３１に形成される開口部から外部に露出する
【００３９】
　
カメラ周りユニット３２には，撮影空間にいる利用者を撮影するカメラ５１が取り付けられる
【００４０】
　カメラ周りユニット３２の
カメラ５１の上には，撮影時に発光し，利用者に光を照射するストロボユニット５２が取り付けられ，下には，カメラ５１による取り込み中の画像をリアルタイムで表示する
ライブビューモニタ５３が取り付けられる
【００４１】
　
正面パネル３１の上方には，斜め下に向けて光を照射する上ストロボユニット３３が設けられる
上ストロボユニット３３が設置されている位置は，正面パネル３１に形成される開口部の上辺より高い位置となる
【００４９】
　また，図４に示されるように，
前方ユニット１１Ａの前方には，床に置くような形でステップ４３が設けられる
ステップ４３は，撮影空間にいる利用者がカメラ５１に近づきすぎないように規制する役割を有する
【００５０】
　ここで，カメラ５１の上下方向の移動について説明する。
【００５１】
　撮影作業時，利用者は，標準の高さと，標準の高さより高めの高さのうちのいずれかを選択し，選択した高さになるようにカメラ５１の高さを調整することができるようになされている。写真シール機１が主にターゲットとする利用者が１０代後半の女性であり，１０代後半の女性の平均の身長が１５０cm後半であるとすると，
カメラ５１の床からの標準の高さは１０代後半の女性の平均的な鼻の高さとほぼ同じ高さである
標準の高さより高めの高さは，１０代後半の女性の平均的な身長より少し高い
【００５２】
　以下，適宜，
標準の高さにあるカメラ５１を中カメラ
標準の高さより高めの高さにあるカメラ５１を上カメラ
・・・（中略）・・・
【００５５】
　カメラ５１は，カメラ周りユニット３２に形成される開口部３２Ａ内に挿入され，図６の位置Ｐを通る，紙面と垂直方向の軸を基準として回動可能とされる。
中カメラの状態にあるカメラ５１の光軸は若干斜め下に向けられ
・・・（中略）・・・
【００５９】
　例えば，カメラ５１の高さを高くすることが利用者により指示された場合，
前方ユニット１１Ａの内部でカメラ周りユニット３２が上に移動し，それに伴って，
カメラ５１
も上に移動する
・・・（中略）・・・
【００６１】
　
カメラ５１が上カメラの状態にあるとき，ストロボユニット５２は正面パネル３１の内側に隠れ
カメラ５１とライブビューモニタ５３だけが外部に露出した状態になる
【００６２】
　図８に示されるように，
上カメラの状態にあるとき，カメラ５１の光軸は，中カメラの状態にあるときより斜め下に向けられ
【００６３】
　図７，図８に示されるように
上カメラの状態にあるカメラ５１による撮影のタイミングでは，上ストロボユニット３３
は発光するが，
ストロボユニット５２は発光しない
・・・（中略）・・・
【００６６】
　このように，利用者は，カメラ５１の高さを変えて撮影を楽しむことができる。また，利用者は，カメラ５１の高さを変えることによって，イメージの異なる画像を撮影することができる。
・・・（中略）・・・
【００６９】
　次に，ステップ４３について説明する。
【００７０】
　図１０は，前方ユニット１１Ａを上から見た図である。
【００７１】
　図１０に示されるように，
前方ユニット１１Ａの前方に形成される撮影空間の床に置かれるステップ４３
【００７３】
　図１１に示されるように，カメラ５１の真下からステップ４３の縁までの水平方向の幅は７５０mmあり，高さは７０mmある。
利用者は，
ステップ４３の側面につま先をあてて立ち位置を決め，撮影を行う
・・・（中略）・・・
【００８２】
　図１６の横軸はカメラ５１からの距離を表し，縦軸は床からの高さを表す。図１６の位置Ｐ1はカメラ５１の位置を表し，中カメラの状態にあるカメラ５１の床からの高さは１４００mmとされている。図１６の例においては，カメラ５１から利用者の背景までの距離は，カメラ５１から
後方ユニット１１Ｂの撮影空間側の面
・・・（中略）・・・
【００８５】
　図１７は，上カメラの状態にあるカメラ５１の画角の例を示す図である。
【００８６】
　図１７の位置Ｐ11はカメラ５１の位置を表し，上カメラの状態にあるカメラ５１の床からの高さは１６００mmとされている。位置Ｐ11と位置Ｐ12を結ぶ直線がカメラ５１の画角の上限を示し，位置Ｐ11と位置Ｐ13を結ぶ点線がカメラ５１の画角の下限を示す。
【００８７】
　図１７に示されるように，
ステップ４３の側面につま先をあてて利用者が直立している場合，頭の少し上から膝の上付近までの範囲が画角に収まる
背面に背中をつけるようにして利用者が直立している場合，頭の少し上から足の先付近までの範囲が画角に収まる
・・・（中略）・・・
【００９１】
　図１７の位置Ｐ11と位置Ｐ14を結ぶ点線はトリミング後の画像に写る範囲の下限を示す。トリミングが行われることにより，
トリミング後の画像には，ステップ４３の側面につま先をあてて利用者が直立している場合には頭の少し上から腰の上付近までの範囲が写り，背面に背中をつけるようにして利用者が直立している場合には頭の少し上から膝の上付近までの範囲が写る
【００９２】
　図１８は，上カメラの状態にあるカメラ５１により撮影された画像の例を示す図である。
【００９３】
　図１８に示される画像はトリミング前の原画像であり，この原画像には
ステップ４３の側面につま先をあてて直立している
撮影された画像には頭の少し上から膝の上付近までの範囲が写っている。
【００９４】
　図１９は，トリミングによって抽出される範囲の例を示す図である。
【００９５】
　例えば，図１９に示されるように，太線Ｌ1で囲まれる範囲がトリミングによって抽出される。図１９の例においては，画像全体のうちの下から約１／４の範囲をカットするとともに，トリミング前の原画像の縦横の比率とトリミング後の画像の縦横の比率が同じ比率になるように，左右の所定の幅をカットし，残りの範囲を抽出するような範囲が設定されている。画像の上側を残し，下側と左右の所定の幅をカットするこの
トリミングの範囲は固定の範囲とされる
・・・（中略）・・・
【０１０８】
　以上のようなトリミングは，カメラ５１が上カメラの状態にあるときにのみ行われ，中カメラの状態にあるときには行われないようにしてもよいし，中カメラの状態にあるときであっても，上カメラの状態にあるときに取り除くことの対象となる範囲より狭い範囲を取り除くようにして行われるようにしてもよい。
・・・（中略）・・・
【０１１５】
　次に，写真シール機１の内部の構成について説明する。
【０１１６】
　図２６は，写真シール機１の内部のハードウエア構成例を示すブロック図である。上述した構成と同じ構成には同じ符号を付してある。重複する説明については適宜省略する。
【０１１７】
　
制御装置１０１は写真シール機１の装置全体を制御する
・・・（中略）・・・
【０１３４】
　図２７は，制御装置１０１の機能構成例を示すブロック図である。
【０１３５】
　図２７に示される構成のうちの少なくとも一部は，制御装置１０１により所定のプログラムが実行されることによって実現される。図２７に示されるように，制御装置１０１においては，カメラ位置制御部１５１，ライブビュー表示制御部１５２，および発光制御部１５３が実現される。
【０１３６】
　カメラ位置制御部１５１は，タッチパネルモニタ４０に表示される選択画面に対する利用者の入力に応じて，カメラ５１の高さをカメラ周りユニット駆動部１２４に制御させる。選択画面には，カメラ５１を上カメラの状態として撮影を行うときに押されるボタンと，カメラ５１を中カメラの状態として撮影を行うときに押されるボタンが表示される。
【０１３７】
　カメラ位置制御部１５１は，カメラ５１が上カメラの状態であるのか中カメラの状態であるのかを表す信号を出力する。カメラ位置制御部１５１から出力された信号はライブビュー表示制御部１５２と発光制御部１５３にそれぞれ供給される。
【０１３８】
　ライブビュー表示制御部１５２は，カメラ位置制御部１５１から供給された信号により表されるカメラ５１の状態に応じてライブビューの表示を制御する。例えば，
ライブビュー表示制御部１５２は，カメラ５１が上カメラの状態にあるとき，カメラ５１により取り込まれ，画像データとして供給された動画像を構成するそれぞれの静止画像を上述したようにして固定の範囲に従ってトリミングし，トリミング後の静止画像からなる動画像の信号をライブビューモニタ５３に出力する
【０１３９】
　また，
ライブビュー表示制御部１５２は，カメラ５１が中カメラの状態にあるとき，カメラ５１により取り込まれ，画像データとして供給された動画像をその画角のまま表示するための信号をライブビューモニタ５３に出力する
【０１４０】
　
発光制御部１５３は，カメラ位置制御部１５１から供給された信号により表されるカメラ５１の状態に応じて照明制御信号をストロボ装置１２３に出力し，上ストロボユニット３３
およびストロボユニット５２の発光を制御させる
・・・（中略）・・・
【０１４３】
　ここで，以上のような構成を有する写真シール機１の処理について説明する。
【０１４４】
　はじめに，図２８のフローチャートを参照して，写真シール作成ゲームの流れについて説明する。
・・・（中略）・・・
【０１４６】
　制御装置１０１は，硬貨が投入されたとステップＳ１において判定した場合，ステップＳ２において，撮影コースを選択するのに用いられる画面をタッチパネルモニタ４０に表示させ，
撮影コースを利用者に選択させる
【０１４７】
　
撮影コースとして
おすすめ撮影コース（コースＡ）とこだわり撮影コース（コースＢ）が用意される
おすすめ撮影コースはカメラ５１を上カメラの状態として撮影するか中カメラの状態として撮影するかを基本的には写真シール機１が選択して撮影を行うコースであり，こだわり撮影コースはカメラ５１を上カメラの状態として撮影するか中カメラの状態として撮影するかを基本的には利用者自身が選択して撮影を行うコースである
・・・（中略）・・・
【０１４９】
　一方，コースＢである
こだわり撮影コースが選択されたとき，
制御装置１０１はこだわり撮影コースによる撮影を利用者に行わせる処理であるこだわり撮影処理を行う
・・・（中略）・・・
【０１５１】
　ステップＳ６において，
制御装置１０１は
利用者に編集作業を行わせる処理である編集処理を行う
【０１５２】
　ステップＳ７において，
制御装置１０１は
編集作業により得られた編集済みの画像をシール紙１４１に印刷する処理である印刷処理を行う
【０１５３】
　ステップＳ８において，
制御装置１０１は，印刷が終了するのを待機している利用者に対してミニゲームなどを提供する処理である事後接客処理を行う
【０１５６】
　次に，図２９のフローチャートを参照して，図２８のステップＳ３において行われるおすすめ撮影処理について説明する。
・・・（中略）・・・
【０１５９】
　ステップＳ２２において，制御装置１０１は，カメラ５１により撮影された画像に合成するのに用いる合成用画像をタッチパネルモニタ４０に複数種類表示させ，その中から，好みの合成用画像を利用者に選択させる。
合成用画像として，クロマキ処理などによって抽出された被写体の領域の背景として重ねて合成する画像である背景画像と，被写体の領域の前景として重ねて合成する画像である前景画像が用意される
【０１６０】
　図３０は，合成用画像の選択に用いられる画面の例を示す図である。
【０１６１】
　図３０に示される画面の中央付近に縦方向に３つ，横方向に５つずつ並べて表示される１５個の枠の位置には，それぞれ，合成用画像のサンプルが表示される。利用者は，合成用画像のサンプルを指で直接触れることによって合成用画像を選択することができる。
【０１６２】
　図３０の例においては，画面の上方に「撮りたいイメージを２つ選んでね」のメッセージが表示されており，利用者は２種類の合成用画像を選択することができるものとされている。利用者により選択された合成用画像のサンプルは画面右端に縦方向に並べられた２つの枠の位置に表示される。
【０１６３】
　利用者は，このような画面から好みの合成用画像を選択し，撮影作業を進める。
ライブビュー表示される画像は，カメラ５１により取り込まれた画像に対して合成用画像を合成することによって得られた合成画像となる
・・・（中略）・・・
【０１７９】
　次に，図３２のフローチャートを参照して，図２８のステップＳ４において行われる
こだわり撮影処理
・・・（中略）・・・
【０１８１】
　ステップＳ４２において，制御装置１０１は，選択画面をタッチパネルモニタ４０に表示し，
カメラ５１の高さを利用者に選択させる
【０１８２】
　図３３は，カメラ５１の高さの選択に用いられる画面の例を示す図である。
【０１８３】
　図３３の例においては，「撮影するカメラを６枚分選んでね。」のメッセージが画面の上方に表示されており，利用者はメッセージの下に表示されるボタン２１１，ボタン２１２，ボタン２１３のいずれかのボタンを押すことによって，
６枚の撮影画像を，カメラ５１を上カメラの状態として撮影するのか，中カメラの状態として撮影するのかを選択することができる
カメラ５１を上カメラの状態として６枚分撮影する
カメラ５１を中カメラの状態として６枚分撮影する
カメラ５１を上カメラの状態として３枚分撮影し，中カメラの状態として３枚分撮影することを選択する
【０１８４】
　利用者は，このような画面からカメラ５１の高さを自ら選択し，撮影作業を進める。
【０１８５】
　ステップＳ４３において，
制御装置１０１のカメラ位置制御部１５１は，カメラ５１の高さが利用者により選択された高さになるようにカメラ周りユニット駆動部１２４に制御させる
【０１８６】
　ステップＳ４４において，制御装置１０１は，
図３０に示される画面と同じ画面を表示するなどして合成用画像を利用者に選択させる
【０１８７】
　ステップＳ４５において，
制御装置１０１は，タッチパネルモニタ４０にカウントダウンインジケータを表示させ
カウントダウンインジケータにより表される撮影までの残り時間が０秒になったとき，撮影を行い，撮影画像を得る
【０１８８】
　ステップＳ４６において，制御装置１０１は，
６回などの所定の回数
【０１８９】
　所定の回数だけ撮影を行っておらず，かつ，撮影作業に割り当てられた制限時間が経過していないとステップＳ４６において判定した場合，制御装置１０１はステップＳ４２以降の処理を繰り返す。
【０１９０】
　一方，
所定の回数だけ撮影を行ったと判定した場合，または，撮影作業に割り当てられた制限時間が経過したと
判定した場合
６枚の撮影画像の中から，編集対象とする撮影画像（キープ画像）を利用者に選択させ，選択された撮影画像を保存する
【０１９１】
　以上の処理により，利用者はカメラ５１の高さを適宜変更することで色々な撮影を行うことができる。写真シール機１側としても，娯楽性のあるゲームを提供しつつ，カメラ５１の高さに応じた写りのよい撮影画像を提供することができる。」
（ウ）　「【図面の簡単な説明】
【０２０５】
【図１】本発明の一実施形態に係る写真シール機の外観の例を示す図である。
・・・（中略）・・・
【図４】前方ユニットの撮影空間側の面の構成例を示す図である。
【図５】中カメラの状態にあるカメラの近傍を示す図である。
【図６】図５の一点鎖線上の断面図である。
【図７】上カメラの状態にあるカメラの近傍を示す図である。
【図８】図７の一点鎖線上の断面図である。
・・・（中略）・・・
【図１７】上カメラの状態にあるカメラの画角の例を示す図である。
【図１８】上カメラの状態にあるカメラにより撮影された画像の例を示す図である。
【図１９】トリミングによって抽出される範囲の例を示す図である。
【図２０】トリミング後の画像の例を示す図である。
・・・（中略）・・・
【図３３】カメラの高さの選択に用いられる画面の例を示す図である。
・・・（中略）・・・
【図１】　　　　　　　　　　　　　　　　　　　　　　　　　　　　　
・・・（中略）・・・
【図４】　　　　　　　　　　　　　　　　　　　　　　　　　　　　　
【図５】　　　　　　　　　　　　　　　　　　　　　　　　　　　　　
【図６】　　　　　　　　　　　　　　　　　　　　　　　　　　　　　
【図７】　　　　　　　　　　　　　　　　　　　　　　　　　　　　　
【図８】　　　　　　　　　　　　　　　　　　　　　　　　　　　　　
・・・（中略）・・・
【図１７】　　　　　　　　　　　　　　　　　　　　　　　　　　　　
【図１８】　　　　　　　　　　　　　　　　　　　　　　　　　　　　
【図１９】　　　　　　　　　　　　　　　　　　　　　　　　　　　　
【図２０】　　　　　　　　　　　　　　　　　　　　　　　　　　　　
・・・（中略）・・・
【図３３】　　　　　　　　　　　　　　　　　　　　　　　　　　　　
」
　イ　引用例１に記載された発明
　【００８２】の記載を参酌すると，【００８７】に記載された「背面」が「後方ユニット１１Ｂの撮影空間側の面」を指していることが明らかであるから，前記ア（ア）ないし（ウ）で摘記した引用例１の記載から，引用例１に次の発明が記載されていると認められる。
「代金を支払った利用者に撮影や編集等の作業をゲームとして行わせ，撮影・編集した画像を，シール紙１４１に印刷して利用者に提供する写真シール機１であって，
　撮影ユニット１１と編集ユニット１３とが並べて設置されることによって構成され，
　前記撮影ユニット１１は，内部に形成される撮影空間にいる利用者が撮影を行うときにその前方にくる側のユニットである前方ユニット１１Ａと，後方にくる側のユニットである後方ユニット１１Ｂとを有し，
　前記前方ユニット１１Ａの筐体内部にはカメラ周りユニット３２が設けられ，当該カメラ周りユニット３２の構成の一部が，前記筐体の面の一部を構成する正面パネル３１に形成される開口部から外部に露出しており，前記正面パネル３１の上方であって，前記開口部の上辺より高い位置には，斜め下に向けて光を照射する上ストロボユニット３３が設けられ，
　前記カメラ周りユニット３２には，撮影空間にいる利用者を撮影するカメラ５１と，撮影時に発光し，利用者に光を照射するストロボユニット５２と，前記カメラ５１による取り込み中の画像をリアルタイムで表示するライブビューモニタ５３とが，前記カメラ５１の上に前記ストロボユニット５２が位置し，前記カメラ５１の下に前記ライブビューモニタ５３が位置するように取り付けられ，
　床からの高さが１０代後半の女性の平均的な鼻の高さとほぼ同じ高さとなる中カメラの位置と，床からの高さが１０代後半の女性の平均的な身長より少し高い上カメラの位置とに，前記カメラ５１が位置するように，前記カメラ周りユニット３２が前記前方ユニット１１Ａの内部で上下方向に移動可能に構成されており，前記カメラ５１が上カメラの位置にあるとき，前記ストロボユニット５２は前記正面パネル３１の内側に隠れ，前記カメラ５１と前記ライブビューモニタ５３だけが前記開口部から外部に露出した状態になり，
　前記カメラ５１は，その光軸が，中カメラの位置にあるときに若干斜め下を向き，上カメラの位置にあるときに中カメラの位置にあるときよりも斜め下を向くように構成され，
　前記前方ユニット１１Ａの前方には，撮影空間にいる利用者がカメラ５１に近づきすぎないように規制する役割を有するステップ４３が，床に置くような形で設けられているとともに，
　写真シール機１の装置全体を制御する制御装置１０１を有しており，
　前記制御装置１０１は，
　　撮影コースとしておすすめ撮影コース及びこだわり撮影コースのいずれかを利用者に選択させ，こだわり撮影コースが選択された場合には，カメラ５１を上カメラの位置にして６枚分撮影するのか，カメラ５１を中カメラの位置にして６枚分撮影するのか，それとも，カメラ５１を上カメラの位置にして３枚分撮影し中カメラの位置にして３枚分撮影するのかを利用者に選択させ，
　　カメラ５１を上カメラの位置にして６枚分撮影することが選択された場合には，カメラ周りユニット３２を移動させて，前記カメラ５１を上カメラの位置に位置させるとともに，クロマキ処理などによって抽出された被写体の領域の背景として重ねて合成する画像である背景画像と，被写体の領域の前景として重ねて合成する画像である前景画像とから，合成に用いる合成用画像を利用者に選択させ，前記カメラ５１により取り込まれ画像データとして供給された動画像を構成するそれぞれの静止画像を固定の範囲に従ってトリミングし，選択された前記合成用画像を合成することによって得られた静止画像からなる動画像の信号を前記ライブビューモニタ５３に出力し，タッチパネルモニタ４０にカウントダウンインジケータを表示させてカウントダウンインジケータにより表される撮影までの残り時間が０秒になったとき，前記上ストロボユニット３３を発光させるとともに，前記ストロボユニット５２を発光させずに撮影を行い，６回撮影を行ったと判定した場合，または，撮影作業に割り当てられた制限時間が経過したと判定した場合，６枚の撮影画像の中から，編集対象とする撮影画像（キープ画像）を利用者に選択させ，選択された撮影画像を保存し，
　　その後，利用者に選択された撮影画像に対して編集作業を行わせる処理を行ってから，前記編集作業により得られた編集済みの画像をシール紙１４１に印刷する処理を行うとともに，印刷が終了するのを待機している利用者に対してミニゲームなどを提供する処理である事後接客処理を行う，
という制御を行うよう構成されており，
　利用者が前記ステップ４３の側面につま先をあてて直立している場合，上カメラの位置にある前記カメラ５１の画角には利用者の頭の少し上から膝の上付近までの範囲が収まり，前記固定の範囲に従ってトリミングされた後の画像には頭の少し上から腰の上付近までの範囲が写り，前記後方ユニット１１Ｂの撮影空間側の面に背中をつけるようにして利用者が直立している場合，上カメラの位置にある前記カメラ５１の画角には利用者の頭の少し上から足の先付近までの範囲が画角に収まり，前記固定の範囲に従ってトリミングされた後の画像には頭の少し上から膝の上付近までの範囲が写るように構成されている，
　写真シール機１。」（以下，「引用発明」という。）
（３）対比
　本件補正発明と引用発明とを対比する。
　ア　引用発明の「撮影画像」，「シール紙１４１」，「写真シール機１」，「カメラ５１」及び「前方ユニット１１Ａの筐体」は，その機能等からみて，本件補正発明の「撮影画像」，「シール紙」，「写真シール作成装置」，「カメラ部」及び「筐体」にそれぞれ対応する。
　イ　引用発明の「写真シール機１」（本件補正発明の「写真シール作成装置」に対応する。以下，「（３）対比」欄において，「」で囲まれた引用発明の構成に付した（）中の文言は，当該引用発明の構成に対応する本件補正発明の発明特定事項を表す。）は，カメラ５１によって撮影空間にいる利用者を撮影し，得られた「撮影画像」（撮影画像）に対して利用者に編集作業を行わせ，編集後の「撮影画像」を「シール紙１４１」（シール紙）に印刷するものであるから，「利用者を被写体として撮影し，得られた撮影画像に対して利用者に編集入力を行わせ，前記撮影画像を所定のシール紙に印刷する写真シール作成装置であ」るという本件補正発明の発明特定事項に相当する構成を具備している。
　ウ　引用発明の「前方ユニット１１Ａの筐体」（筐体）内部にはカメラ周りユニット３２が設けられ，当該カメラ周りユニット３２には「カメラ５１」（カメラ部）が取り付けられているから，引用発明は，「カメラ部と，前記カメラ部が設けられる筐体と」「を備え」るという本件補正発明の発明特定事項に相当する構成を具備している。
　エ　引用発明では，撮影コースとしてこだわり撮影コースが選択され，かつ，カメラ５１を上カメラの位置にして６枚分撮影することが選択された場合に，利用者がステップ４３の側面につま先をあてて直立して撮影すると，固定の範囲に従ってトリミングされた後の画像には頭の少し上から腰の上付近までの範囲が写り，後方ユニット１１Ｂの撮影空間側の面に背中をつけるようにして利用者が直立して撮影すると，固定の範囲に従ってトリミングされた後の画像には頭の少し上から膝の上付近までの範囲が写るところ，前記「利用者が前記ステップ４３の側面につま先をあてて直立して撮影」したときの「トリミング後の画像」は，本件補正発明の「カメラ本体の焦点距離がズームインするように調整された場合」の「トリミング枠でトリミングされた」「撮影画像」と，「利用者の顔および上半身が写るアップ画像」である点で共通し，引用発明の前記「後方ユニット１１Ｂの撮影空間側の面に背中をつけるようにして利用者が直立して撮影」したときの「固定の範囲に従ってトリミングされた後の画像」は，本件補正発明の「カメラ本体の焦点距離がズームアウトするように調整された場合」の「トリミング枠でトリミングされた」「撮影画像」と，「アップ画像よりも広い範囲の利用者の身体が写る画像」（以下，便宜上，当該画像を「広範囲画像」と表現する。）である点で共通する。
　また，引用発明の「制御装置１０１」は，撮影コースとしてこだわり撮影コースが選択され，かつ，カメラ５１を上カメラの位置にして６枚分撮影することが選択された場合に，利用者がステップ４３の側面につま先をあてて直立して撮影するとき，及び，後方ユニット１１Ｂの撮影空間側の面に背中をつけるようにして利用者が直立して撮影するときのいずれにおいても，カメラ５１により取り込まれ画像データとして供給された動画像を構成するそれぞれの静止画像を固定の範囲に従ってトリミングし，選択された合成用画像を合成することによって得られた静止画像のうち，６回の撮影時点のものを「６枚の撮影画像」として取得していることが当業者に自明であるところ，当該「制御装置１０１」が実現する機能は，本件補正発明の「取得手段」と，「利用者の顔および上半身が写るアップ画像を取得する場合と，アップ画像よりも広い範囲の利用者の身体が写る画像を取得する場合とで，同一の縦横比のトリミング枠でトリミングされた撮影画像を，カメラ部に取り込まれた画像から取得する手段」（以下，便宜上，当該手段を「撮影画像生成手段」と表現する。）である点，及び，「アップ画像を取得する場合には，トリミング枠でトリミングされた撮影画像として，利用者の顔および上半身が写るアップ画像を取得し，広範囲画像を取得する場合には，前記トリミング枠でトリミングされた撮影画像として，前記アップ画像よりも広い範囲の利用者の身体が写る広範囲画像を取得」する点で共通する。
　オ　引用発明の「制御装置１０１」は，撮影コースとしてこだわり撮影コースが選択され，かつ，カメラ５１を上カメラの位置にして６枚分撮影することが選択された場合に，カメラ５１により取り込まれ画像データとして供給された動画像を構成するそれぞれの静止画像を固定の範囲に従ってトリミングし，選択された前記合成用画像を合成することによって得られた静止画像からなる動画像の信号を「ライブビューモニタ５３」に出力するところ，「ライブビューモニタ５３」に表示される前記「動画像」が，本件補正発明の「ライブビュー画像」に相当する（「４　独立特許要件について」欄冒頭で述べた「拡大解釈」を採用する。）。
　また，引用発明において「動画像」の表示が各撮影のタイミングの前になされていることは当業者に自明であるから，前記「制御装置１０１」の機能及び「ライブビューモニタ５３」は，本件補正発明の「表示手段」と，「撮影タイミングより前に，カメラ部に取り込まれた画像であるライブビュー画像を表示する」点で共通する。
　カ　前記アないしオに照らせば，本件補正発明と引用発明とは，
「利用者を被写体として撮影し，得られた撮影画像に対して利用者に編集入力を行わせ，前記撮影画像を所定のシール紙に印刷する写真シール作成装置であって，
　カメラ部と，
　前記カメラ部が設けられる筐体と，
　前記利用者の顔および上半身が写るアップ画像を取得する場合と，前記アップ画像よりも広い範囲の前記利用者の身体が写る広範囲画像を取得する場合とで，同一の縦横比のトリミング枠でトリミングされた前記撮影画像を，前記カメラ部に取り込まれた画像から取得する撮影画像生成手段と，
　表示手段と
　を備え，
　前記撮影画像生成手段は，前記アップ画像を取得する場合には，前記トリミング枠でトリミングされた前記撮影画像として，前記利用者の顔および上半身が写るアップ画像を取得し，前記広範囲画像を取得する場合には，前記トリミング枠でトリミングされた前記撮影画像として，前記アップ画像よりも広い範囲の前記利用者の身体が写る広範囲画像を取得し，
　前記表示手段は，撮影タイミングより前に，前記カメラ部に取り込まれた前記画像であるライブビュー画像を表示する
　写真シール作成装置。」
である点で一致し，次の点で一応相違する。
　
相違点１：
　本件補正発明では，カメラ部がズームリングを回転させることでカメラ本体の焦点距離を調整する回転部を有しており，取得手段がアップ画像を取得するのは，カメラ本体の焦点距離がズームインするように調整された場合であり，取得手段が広範囲画像（全身画像）を取得するのは，カメラ本体の焦点距離がズームアウトするように調整された場合であるのに対して，
　引用発明では，カメラ５１がズーム機能を有しておらず，制御装置１０１がアップ画像を取得するのは，利用者がステップ４３の側面につま先をあてて直立した場合であり，制御装置１０１が広範囲画像を取得する場合のは，利用者が後方ユニット１１Ｂの撮影空間側の面に背中をつけるようにして直立した場合である点。
相違点２：
　本件補正発明では，広範囲画像が，利用者の全身が写る全身画像であるのに対して，
　引用発明では，広範囲画像が，利用者の頭の少し上から膝の上付近までの範囲が写る画像であって，全身画像とはいえない点。
相違点３：
　本件補正発明では，表示手段が，ライブビュー画像とともに，既に取得されたアップ画像および広範囲画像（全身画像）を全て，同一の縦横比，かつ，同一のサイズで，１つの画面に並べて表示するのに対して，
　引用発明では，制御装置１０１及びライブビューモニタ５３は，ライブビュー画像（動画像）を表示してはいるものの，当該ライブビュー画像とともに，既に取得されたアップ画像や広範囲画像を表示してはいない点。
（４）相違点１の容易想到性
　当審拒絶理由において周知例として例示された特開２００４−１７０８２９号公報（【００５４】等を参照。）や特開２００４−７０３３号公報（【００８６】等を参照。）等にみられるように，写真シール作成装置の技術分野において，シール紙に印刷するアップ画像及び全身画像を撮影するために，光学ズーム機能を有するカメラを用いることは，本願優先日より前に周知の技術（以下，「第１周知技術」という。）であったと認められる。
　また，カメラにおいて，光学ズーム機能を実現するための機構として，回転することでカメラの焦点距離を調整するズームリングと，当該ズームリングを回転させる回転部とからなる機構を用いることは，常套手段である（例えば，当審拒絶理由において例示された特開平５−１００１４３号公報の【０００２】等を参照。）。
　しかるに，引用発明では，アップ画像の撮影と広範囲画像の撮影とを切り換えるために，利用者が直立する位置を変更する必要があり，利用者にとって面倒であるが，第１周知技術によれば，直立する位置を変える必要がなく，便利であることは，当業者ならずとも容易に理解できることであるから，引用発明において，アップ画像の撮影と広範囲画像の撮影とを切り換えるために，利用者が直立する位置を変更するという構成に代えて，カメラ５１として，ズームリングを回転させることでカメラ本体の焦点距離を調整する回転部を有するカメラを用い，制御装置１０１が，前記カメラの焦点距離がズームインするように調整された場合にアップ画像を取得し，前記カメラの焦点距離がズームアウトするように調整された場合に広範囲画像を取得するように変更すること，すなわち，引用発明を，相違点１に係る本件補正発明の発明特定事項に相当する構成を具備したものとすることは，第１周知技術に基づいて，当業者が容易になし得たことである。
（５）相違点２の容易想到性
　引用発明において，利用者の身体のうちのどのような範囲が写るどのような縦横比の撮影画像としてシール紙に印刷して利用者に提供するのかは，利用者のニーズ等を考慮して，当業者が適宜決定すれば足りる設計上の事項にすぎない。
　また，前記（５）でも認定したように，写真シール作成装置の技術分野において，アップ画像及び全身画像をシール紙に印刷して利用者に提供することは，本願優先日前に周知でもあった。
　そうすると，引用発明において，シール紙に印刷する撮影画像として，カメラ５１の画角における縦横比（すなわち固体撮像素子の縦横比）とは異なる適宜の縦横比（例えば，当審拒絶理由において引用した「月刊アミューズメント・ジャーナル，日本，2011.10.30発行，第11巻，第11号，082〜085」の０６５に記載された「１：１．２」（縦横比にすると１．２：１）等。）及び適宜のサイズを有するアップ画像と，当該アップ画像と同一の縦横比及び同一のサイズを有し，利用者の全身が写る全身画像とを選択すること，すなわち，引用発明を，相違点２に係る本件補正発明の発明特定事項に相当する構成を具備したものとすることは，当業者が適宜なし得たことというほかない。
　なお，カメラ５１の画角における縦横比とは異なる適宜の縦横比及び適宜のサイズを有するアップ画像及び全身画像を，カメラ５１により取り込まれ画像データとして供給された動画像を構成するそれぞれの静止画像から取得するには，当然のことながら，同一の縦横比及びサイズのトリミング枠でトリミングすることとなる。
（６）相違点３の容易想到性
　例えば，特開２００９−７１４６３号公報（特に，【００５９】，図１０（Ｂ）等を参照。）や，特開２００９−８３４５７号公報（特に，【００８３】，【００８５】，図１２（Ａ）等を参照。）等にみられるように，写真シール作成装置の技術分野において，撮影タイミングより前に表示するライブビュー画像とともに，既に取得された撮影画像を全て，同一の縦横比及び同一のサイズで，１つの画面に並べて表示することは，本願優先日より前に周知の技術（以下，「第２周知技術」という。）であったと認められる。
　引用発明においては，カメラ５１により取り込まれ画像データとして供給された動画像を構成するそれぞれの静止画像を固定の範囲に従ってトリミングし，選択された合成用画像を合成することによって得られた静止画像からなる動画像の信号をライブビューモニタ５３に出力しているところ，当該動画像とともに，既に取得された撮影画像（アップ画像及び広範囲画像）が表示されているほうが，撮影タイミング前に既に取得された撮影画像を利用者が確認できて便利であることは，明らかであるから，引用発明において，ライブビューモニタ５３に前記動画像とともに，既に取得されたアップ画像及び広範囲画像（前記（６）で述べた構成の変更後の引用発明においては「全身画像」）を全て，同一の縦横比，かつ，同一のサイズで，１つの画面に並べて表示するよう構成すること，すなわち，引用発明を，相違点３に係る本件補正発明の発明特定事項に相当する構成を具備したものとすることは，第２周知技術に基づいて，当業者が容易になし得たことである。
（７）効果について
　本件補正発明が有する効果は，引用例１の記載，第１周知技術及び第２周知技術に基づいて，当業者が予測できた程度のものである。
（８）独立特許要件についてのまとめ
　以上のとおり，本件補正発明は，引用発明に基づいて当業者が容易に発明をすることができたものであるから，特許法２９条２項の規定により特許出願の際独立して特許を受けることができないものである。
　したがって，本件補正は，特許法１７条の２第６項において準用する同法１２６条７項の規定に違反するものであるから，同法１５９条１項において読み替えて準用する同法５３条１項の規定により却下すべきものである。
　よって，上記補正の却下の決定の結論のとおり決定する。
第３　本件発明について
１　本件発明
　本件補正は前記のとおり却下されたので，本願の請求項１に係る発明（以下，「本件発明」という。）は，前記第２〔理由〕１（１）アに示したとおりのものと認められる。
２　引用例
　当審拒絶理由に引用された引用例１の記載事項及び引用発明については，前記第２〔理由〕４（３）ア及びイのとおりである。
　
３　対比・判断 
　本件補正発明は，上記第２〔理由〕２のとおり，本件発明を限定したものである。
　そうすると，本件発明の発明特定事項をすべて含み，さらに限定を付加したものに相当する本件補正発明が，上記第２〔理由〕４に記載したとおり，引用発明に基づいて当業者が容易に発明をすることができたものである以上，本件発明も同様の理由により，引用発明に基づいて当業者が容易に発明をすることができたものである。
４　むすび
　以上のとおり，本件発明は，引用発明に基づいて当業者が容易に発明をすることができたものであるから，他の請求項に係る発明について検討するまでもなく，本願は，特許法２９条２項の規定により，特許を受けることができない。
　よって，結論のとおり審決する。